(57)【要約】【課題】受動で蓋を開閉する不便を無くす。【解決手段】蓋の回転ができるようにするモータを含んでおり、正回転スイッチのターンオン（turn on）時上記蓋が開き、逆回転スイッチのターンオン時上記蓋が閉まるケース、上記正回転スイッチまたは上記逆回転スイッチのターンオンの可否に応じてそれぞれ正回転信号または逆回転信号を生成するバッファ（buffer）、及び上記バッファでの信号の入力によって上記モータを回転させる駆動部を含むケースモジュール及びケース蓋回転の制御方法に関するものである。受動で蓋を開閉する不便を無くすために駆動回路を用いて直流モータの正回転及び逆回転を制御して蓋が直流モータの回転に応じて開閉する機能を遂行する。【選択図】図６
2007130441.tif 000002
【特許請求の範囲】
【請求項１】
蓋の回転ができるようにするモータを含んでおり、正回転スイッチのターンオン（turn on）時前記蓋が開き、逆回転スイッチのターンオン時前記蓋が閉まるケース、
前記正回転スイッチまたは前記逆回転スイッチのターンオンの可否に応じてそれぞれ正回転信号または逆回転信号を生成するバッファー（buffer）、及び
前記バッファーでの信号の入力によって前記モータを回転させる駆動部を含むケースモジュール。
【請求項２】
前記ケースは、
前記蓋により外部から遮られる収納空間を有する箱体、及び
前記蓋が回転できるように前記箱体に連結させるヒンジをともに含むが、
前記モータは前記ヒンジ内部に位置して前記蓋が回転するようにすることを特徴とする請求項１に記載のケースモジュール。
【請求項３】
前記逆回転スイッチは、前記蓋の開きに応じてターンオンされるし、前記蓋が前記箱体を閉めることに応じてターンオフ（turn off）されることを特徴とする請求項２に記載のケースモジュール。
【請求項４】
前記バッファーは前記正回転スイッチ及び前記逆回転スイッチが全部ターンオンされることにより前記正回転信号を生成することを特徴とする請求項３に記載のケースモジュール。
【請求項５】
前記蓋が所定角度まで開いた状態を感知して開き信号を生成する蓋開き状態感知部をともに含むが、
前記バッファーは前記開き信号に応じて前記モータの回転を停止させる停止信号を生成することを特徴とする請求項２に記載のケースモジュール。
【請求項６】
前記蓋開き状態感知部は、
開き電圧を提供する電圧源、
前記開き電圧が所定位置に印加されることにより前記開き信号を生成するセンサー回路、及び
前記モータの回転に応じて回転して前記所定角度で前記電圧源と前記センサー回路の所定位置を連結させる導電性アーム(arm)を含むことを特徴とする請求項５に記載のケースモジュール。
【請求項７】
前記駆動部は、
前記バッファーでの正回転信号に応じて前記モータを正回転させる第１駆動部と、そして
前記バッファーでの逆回転信号に応じて前記モータを逆回転させる第２駆動部を含むことを特徴とする請求項２に記載のケースモジュール。
【請求項８】
前記駆動部は、Ｈ−ブリッジ（Ｈ-bridge)回路で具現されて前記正回転信号または前記逆回転信号に応じてそれぞれ前記モータを正回転または逆回転させることを特徴とする請求項２に記載のケースモジュール。
【請求項９】
前記蓋及び前記箱体の中の片方に附着されて所定の磁場を形成するマグネット、及び
前記蓋及び前記箱体の中の他方に前記マグネットの位置と相応する位置に附着されて前記磁場を感知するホールセンサーをともに含むが、
前記ホールセンサーは前記マグネットが近くなることにより前記モータの逆回転を停止させる信号を生成して前記バッファーに伝達することを特徴とする請求項２に記載のケースモジュール。
【請求項１０】
前記箱体に収容されて小型収納空間を有している収納箱、及び
前記収納箱を構造的に開放させるメインスイッチをともに含むが、
前記収納箱は、前記箱体に収容されると前記正回転スイッチをターンオフさせるし、前記箱体から開放されると前記正回転スイッチをターンオンさせることを特徴とする請求項２に記載のケースモジュール。
【請求項１１】
蓋によって外部から遮られる収納空間を有する箱体と、前記蓋の回転ができるようにするモータを含んでおり、正回転スイッチのターンオン時前記蓋が開き、逆回転スイッチのターンオン時前記蓋が閉まるケースと、前記正回転スイッチまたは前記逆回転スイッチのターンオンの可否に応じてそれぞれ正回転信号または逆回転信号を生成するバッファーと、前記バッファーでの信号の入力によって前記モータを回転させる駆動部を含むケースモジュールの蓋回転を制御する方法において、
（ａ）前記正回転スイッチのターンオンに応じて正回転信号を生成する段階、
（ｂ）前記正回転信号に応じて前記モータを正回転させる段階、
（ｃ）前記モータの正回転に応じて前記蓋が開く段階、
（ｄ）前記蓋が所定角度まで開いたことを感知する段階、及び
（ｅ）前記モータの正回転を停止させる停止信号を生成する段階
を含むケース蓋回転制御方法。
【請求項１２】
前記ケースモジュールは、前記蓋が前記所定角度まで開いた状態を感知して開き信号を生成する蓋開き状態感知部をともに含むが、
前記段階（ｄ）は前記開き信号に応じて前記モータの回転を停止させる停止信号を生成することを特徴とする請求項１１に記載のケース蓋回転制御方法。
【請求項１３】
前記蓋開き状態感知部は、
開き電圧を提供する電圧源、
前記開き電圧が所定位置に印加されることにより前記開き信号を生成するセンサー回路、及び
前記モータの回転に応じて回転して所定角度で前記電圧源と前記センサー回路の所定位置を連結させる導電性アームを含むことを特徴とする請求項１２に記載のケース蓋回転制御方法。
【請求項１４】
前記段階（ｃ）は、前記蓋が開くことに応じて前記逆回転スイッチがターンオンされることを特徴とする請求項１１に記載のケース蓋回転制御方法。
【請求項１５】
（ｆ）前記正回転スイッチがターンオフされることに応じて前記モータを逆回転させる逆回転信号を生成する段階、
（ｇ）前記逆回転信号に応じて前記モータを逆回転させる段階、
（ｈ）前記モータの逆回転に応じて前記蓋が前記箱体を閉める段階、及び
（ｉ）前記モータの逆回転を停止させる前記停止信号を生成する段階
をともに含む請求項１４に記載のケース蓋回転制御方法。
【請求項１６】
前記ケースモジュールは、
前記蓋及び前記箱体の中の片方に附着されて所定の磁場を形成するマグネット、及び
前記蓋及び前記箱体の中の他方に前記マグネットの位置と相応する位置に附着されて前記磁場を感知するホールセンサーをともに含むが、
前記段階（ｆ）は、前記ホールセンサーが前記マグネットと近くなることにより前記停止信号を生成することを特徴とする請求項１５に記載のケース蓋回転制御方法。
【請求項１７】
前記ケースモジュールは、
前記箱体に収容されて小型収納空間を有している収納箱、及び
前記収納箱を構造的に開放させるメインスイッチをともに含むが、
前記収納箱は、前記箱体に収容されると前記正回転スイッチをターンオフさせるし、前記箱体から開放されると前記正回転スイッチをターンオンさせることを特徴とする請求項１５に記載のケース蓋回転制御方法。
【発明の詳細な説明】
【技術分野】
【０００１】
本発明は、ケースモジュールに関するもので、より詳細には、収納空間を有するケースの蓋の開閉を自動で制御するオートフォルダー（auto-folder）機能のケースモジュールに関する。
【背景技術】
【０００２】
収納空間を有する携帯型ケースは、多様な活用が可能である。そのうち、一番代表的なものが化粧品ケースである。女性たちは、化粧してから外出した後にも化粧を直さなければならない場合を備えてマスカラ、アイシャドー、口紅などの色調化粧品ケースまたは圧縮パウダー入りのコンパクトを携帯する。このような化粧品ケースの場合に、使用者が直接片手または両手でケースの蓋を開かなければならない不便があった。
【０００３】
図１は、従来技術による化粧用具の自動引出機能を有する化粧品ケースの分離斜視図である。
【０００４】
隔壁４１によって区画され形成された色調化粧品の収納できる化粧品収納箱４０と化粧用具３５の収納できる化粧用具収納箱３０を内設する収納室１３が形成された箱体１０の後方周壁に蓋５０をピン軸５１によって癒着して開閉できるように結合された構成の化粧品ケースに関するものである。箱体１０の収納室１３の右側周壁１０ｄに形成させた出入口１１に対向される左側周壁１０ｃに保護壁１２による弾発スプリング１２aを設置する。そして、底の中央部から前方周壁に至るように前後進舵板２２を安置する凹入部１３ａを形成する。後方周壁に開き弾性具１６を付着設置し、前方周壁の中央部及びその左,右に留めホルダ安着部１４と狭持片１４ａを形成して舵突起２２ａを突設した前、後進舵板２２と上部に係止突起２１と、左、右に弾性挿入片２３を形成した留めホルダ２０を安着して結合させる。
【０００５】
使用の際、留めホルダ２０を後方に押すことで化粧用具収納箱３０が吐出されることと同時に蓋５０が開かれて、上記化粧用具収納箱３０に安置収納された化粧用具３５を容易く取り出したり収納できるようにしたものである。
【０００６】
図１に示された技術によれば、弾発スプリングの弾力を用いて化粧用具収納箱３０が吐出されるようにする。しかし、依然として化粧品ケースの蓋５０は受動的に使用者の手を利用しなければならない不便があった。
【０００７】
最近、全世界的に自動化された製品が大勢を成している。工場のロボットによる工場自動化のような大型製品だけでなく日常生活で携帯する小型製品にも自動化が試みされている。
【０００８】
現代人のほとんどが有している携帯電話を例に挙げると、携帯電話がフリップ形態からフォルダー形態、スライド形態などその形態が多様になった。そのうち、フォルダー形態の場合、オートフォルダー（auto-folder）という自動化機能を有した携帯電話が生産されている。フォルダー型携帯電話の多様な機能を用いるためにフォルダーを開かなければならない。この際、使用者が直接片手または両手でフォルダーを開く不便を無くために一本指であらかじめ指定されたスイッチを押すことでフォルダーが自動で開閉されるようにするオートフォルダー機能を有する携帯電話が市中に出ている。
【０００９】
したがって、化粧品ケースのような収納空間を有する携帯型ケースにも携帯電話のオートフォルダー機能を取り入れて自動化しようとする。
【発明の開示】
【発明が解決しようとする課題】
【００１０】
したがって、本発明は受動で蓋を開閉する不便を無くすために、駆動回路を用いて直流モータの正回転及び逆回転を制御して蓋が直流モータの回転に応じて開閉する機能を遂行するようにするケースモジュール及びその制御方法を提供する。
【００１１】
また、本発明は、簡単な回路によって直流モータの回転方向を制御して蓋の開閉動作が遂行されるようにし、携帯電話のようなマイコン（Micom）を要しないケースモジュール及びその制御方法を提供する。
【００１２】
本発明のその他の目的は、下記の説明を通じて易しく理解できるようになる。
【課題を解決するための手段】
【００１３】
上記目的を果たすために、本発明の実施例によれば、蓋の回転ができるようにするモータを含んで、正回転スイッチのターンオン（turn on）時上記蓋が開き、逆回転スイッチのターンオン時上記蓋の閉まるケース、上記正回転スイッチまたは上記逆回転スイッチのターンオンの可否に応じてそれぞれ正回転信号または逆回転信号を生成するバッファー（buffer）、及び、上記バッファーでの信号の入力によって上記モータを回転させる駆動部を含むケースモジュールが提供されることができる。
【００１４】
好ましくは、上記ケースは、上記蓋によって外部から遮られる収納空間を有する箱体、 及び、上記蓋が回転できるように上記箱体に連結させるヒンジをともに含むが、上記モータは上記ヒンジ内部に位置して上記蓋が回転できるようにする。
【００１５】
ここで、上記逆回転スイッチは、上記蓋の開きによってターンオンされるし、上記蓋が上記箱体を閉めることによってターンオフ（turn off）になることができる。 そして、上記バッファーは、上記正回転スイッチ及び上記逆回転スイッチが全部ターンオンになることによって上記正回転信号を生成することができる。
【００１６】
また、上記蓋が所定角度まで開かれた状態を感知して開き信号を生成する蓋開き状態感知部をともに含むが、上記バッファーは上記開き信号に応じて上記モータの回転を停止させる停止信号を生成することができる。
【００１７】
ここで、上記蓋開き状態感知部は、開き電圧を提供する電圧源、上記開き電圧が所定位置に印加されることにより上記開き信号を生成するセンサー回路、及び上記モータの回転に応じて回転して上記所定角度で上記電圧源と上記センサー回路の所定位置を連結させる導電性アーム（arm）を含むことができる。
【００１８】
また、上記駆動部は、上記バッファーでの正回転信号に応じて上記モータを正回転させる第１駆動部と、そして上記バッファーでの逆回転信号に応じて上記モータを逆回転させる第２駆動部を含むことができる。
【００１９】
または、上記駆動部は、Ｈ-ブリッジ（Ｈ-bridge）回路によって具現されて、上記正回転信号または上記逆回転信号に応じてそれぞれ上記モータを正回転または逆回転させることができる。
【００２０】
また、上記蓋及び上記箱体の中のある一側に附着されて所定の磁場を形成するマグネット、及び上記蓋及び上記箱体の中の他側に上記マグネットの位置と相応する位置に附着され上記磁場を感知するホールセンサーをともに含むが、上記ホールセンサーは、上記マグネットが近くなることによって上記モータの逆回転を停止させる信号を生成して上記バッファーに伝達することができる。
【００２１】
また、上記箱体に収容されて小型収納空間を有している下端収納箱; 及び上記下端収納箱を構造的に開放させるメインスイッチをともに含むが、上記下端収納箱は、上記箱体に収容されると上記正回転スイッチをターンオフさせるし、上記箱体から開放されると上記正回転スイッチをターンオンさせることができる。
【００２２】
上記目的たちを果たすために、本発明の他の実施形態によれば、蓋によって外部から遮られる収納空間を有する箱体と、上記蓋が回転できるようにするモータを含んで、正回転スイッチのターンオン時上記蓋が開いて、逆回転スイッチのターンオン時上記蓋が閉まるケースと、上記正回転スイッチまたは上記逆回転スイッチのターンオンの可否に応じてそれぞれ正回転信号または逆回転信号を生成するバッファーと、上記バッファーでの信号の入力によって上記モータを回転させる駆動部を含むケースモジュールの蓋回転を制御する方法において、（ａ）上記正回転スイッチのターンオンに応じて正回転信号を生成する段階、（ｂ）上記正回転信号に応じて上記モータを正回転させる段階; （ｃ）上記モータの正回転によって上記蓋が開かれる段階、（ｄ）上記蓋が所定角度まで開かれたことを感知する段階、及び （ｅ）上記モータの正回転を停止させる停止信号を生成する段階を含むケース蓋回転制御方法が提供されることができる。
【００２３】
好ましくは、上記ケースモジュールは、上記蓋が上記所定角度まで開かれた状態を感知して開き信号を生成する蓋開き状態感知部をともに含むが、上記段階（ｄ）は上記開き信号に応じて上記モータの回転を停止させる停止信号を生成することができる。
【００２４】
ここで、上記蓋開き状態感知部は、開き電圧を提供する電圧源; 上記開き電圧が所定位置に印加されることによって上記開き信号を生成するセンサー回路; 及び上記モータの回転に応じて回転して所定角度で上記電圧源と上記センサー回路の所定位置を連結させる導電性アームを含むことができる。
【００２５】
好ましくは、上記段階（ｃ）は、上記蓋の開きによって上記逆回転スイッチがターンオンされることができる。
【００２６】
ここで、（ｆ）上記正回転スイッチのターンオフに応じて上記モータを逆回転させる逆回転信号を生成する段階; （ｇ）上記逆回転信号に応じて上記モータを逆回転させる段階; （ｈ）上記モータの逆回転に応じて上記蓋が上記箱体を閉める段階; 及び （ｉ）上記モータの逆回転を停止させる上記停止信号を生成する段階をともに含むことができる。
【００２７】
そして、上記ケースモジュールは、上記蓋及び上記箱体の中のある一側に附着され所定の磁場を形成するマグネット; 及び上記蓋及び上記箱体の中の他側に上記マグネットの位置と相応する位置に附着されて上記磁場を感知するホールセンサーをともに含むが、上記段階（ｆ）で、上記ホールセンサーは、上記マグネットが近くなることによって上記停止信号を生成することができる。
【００２８】
または上記ケースモジュールは、上記箱体に収容されて小型収納空間を有している下端収納箱; 及び上記収納箱を構造的に開放させるメインスイッチをともに含むが、上記収納箱は、上記箱体に収容されると上記正回転スイッチをターンオフさせ、上記箱体から開放されると上記正回転スイッチをターンオンさせることができる。
【発明の効果】
【００２９】
上述したように、本発明によるケースモジュール及びその制御方法は、受動によって蓋を開閉する不便を無くし、駆動回路を用いて直流モータの正回転及び逆回転を制御して蓋が直流モータの回転に応じて開閉する機能を遂行するようにする。
【００３０】
また、簡単な回路を通じて直流モータの回転方向を制御して蓋の開く動作と閉まる動作が遂行されるようにして携帯電話のようなマイコン（Micom）を要しない化粧品ケースのような製品に応用可能である。
【発明を実施するための最良の形態】
【００３１】
以下、添付された図面を参照して本発明によるケースモジュール及びその制御方法の好ましい実施例を詳しく説明する。 本発明を説明することにおいて、係わる公知技術に対する具体的な説明が本発明の要旨をかえってぼかすことになると判断される場合その詳細な説明を略する。 本明細書の説明過程にて用いられる数字(例えば、第１、第２ など)は同一または類似の個体を順次に区分するための識別記号に過ぎない。
【００３２】
本発明によるケースモジュールは、ケースとケースの蓋回転制御回路を含む。 以下では、図２乃至図５を通じてケースに対して詳しく説明することにし、図６乃至図８を通じてケース蓋回転制御回路及びその動作に対して詳しく説明することにする。
【００３３】
図２は、本発明の好ましい実施例によるケースを示す図面である。
【００３４】
図２を参照すれば、ケースは、蓋２１０、箱体２２０、正回転スイッチ２３０、逆回転スイッチ２４０、ヒンジ２１１aと２１１ｂ、及びモータ２００を含む。
【００３５】
箱体２２０は、内部に収納空間２２１を含んで、収納空間２２１は、蓋２１０によって外部から遮られる。
【００３６】
正回転スイッチ２３０は、箱体２２０の外部に位置して、正回転スイッチ２３０がターンオン（turn on）になるとモータ２００を正回転させる正回転信号を生成してモータ２００との連結端子２０１を通じて伝達する。正回転スイッチ２３０がターンオフ（turn off）になると正回転信号の生成を止めるようになる。
【００３７】
逆回転スイッチ２４０は、蓋２１０が箱体２２０を閉める場合に蓋２１０と箱体２２０が接触する箱体２２０上の部分に位する。逆回転スイッチ２４０の位置に相応する蓋２１０ 表面の位置には逆回転スイッチ２４０をターンオフさせる押し端２４１が位する。逆回転スイッチ２４０は、蓋２１０の開かれる動作に応じて箱体２２０と接触しなくなると、押し端２４１が逆回転スイッチ２４０と接触しなくなって逆回転スイッチ２４０をターンオンさせる。そして、モータ２００を逆回転させる逆回転信号を生成してモータ２００との連結端子２０１を通じて伝達する。
【００３８】
ここで、押し端２４１は、機械的に上記逆回転スイッチ２４０を押すことで逆回転スイッチ２４０をターンオフさせることができる。または逆回転スイッチ２４０にホールセンサー（Ｈall sensor）が附着され、押し端２４１にマグネット（magnet）が附着されることができる。マグネットは、所定の磁場を形成し、ホールセンサーは磁場を感知する。すなわち、マグネットとホールセンサーとの距離が一定の距離以下になって磁場の強さが大きくなるとホールセンサーの出力はハイ（high）になり、マグネットとホールセンサーとの距離が一定の距離以上になって磁場の強さが小くなるとホールセンサーの出力はロー（low）になる。 これを用いてホールセンサーの出力がハイになると逆回転スイッチ２４０をターンオフさせるようにしてモータの逆回転を停止させることができる。
【００３９】
本発明で、正回転スイッチ２３０がターンオンされて蓋２１０が開かれる間に逆回転スイッチ２４０もターンオンされるが、正回転信号だけが生成されて逆回転信号は生成されないようにすることが好ましい。
【００４０】
蓋２１０と箱体２２０は、ヒンジ２１１a及び２１１ｂによって繋がれている。 ヒンジ２１１a及び２１１ｂは、蓋２１０がヒンジ２１１a及び２１１ｂを回転軸として回転可能にさせる。
【００４１】
ヒンジ２１１ａ及び２１１ｂ内部にはモータ２００が位置している。 モータ２００は印加される駆動信号に応じて正回転、逆回転または停止が可能な直流モータである。 ギアー（gear）がともに含まれてモータ２００の回転を所定の減速比に減速して蓋２１０が３６０゜の範囲内でのみＡ方向に回転するようにできる。
【００４２】
図３は、本発明の好ましい他の実施例によるケースの蓋が開かれた状態及び閉まった状態での斜視図であり、図４は、上部箱体を除いたケースの分解斜視図であって、図５は図４の一部分の拡大図である。
【００４３】
図３乃至図５に示されているケースは、色調化粧品または圧縮パウダーなどの化粧品を収納する第１収納空間３２２及びこのような化粧品を使うための化粧用具を収納する第２収納空間３５２を備えた収納箱３５０を有する化粧品ケースを一例とする。化粧品ケース以外にも２個の収納空間を要するケースに本発明が適用可能なことは勿論である。
【００４４】
ケースは、蓋３１０、上部箱体３２０ａ、下部箱体３２０ｂ、収納箱３５０、メインスイッチ３３０、ヒンジ３１１ａと３１１ｂ及び逆回転スイッチ３４０を含む。
【００４５】
上部箱体３２０ａは、第１ 収納空間３２２を含んでおり、蓋３１０と直接接触する。上部箱体３２０ａと蓋３１０が接触する表面にそれぞれ逆回転スイッチ３４０ 及び押し端３４１が形成されることができる。
【００４６】
下部箱体３２０ｂは、上部箱体３２０ａを支持し、上部箱体３２０ａとの間に第２収納空間３５２を有する収納箱３５０を収容する。収納箱３５０がスライディング（sliding) 方式によってＣ方向（図３に図示）に引出されることができるようにガードレール３５６が下部箱体３２０ｂの底面に形成されている。
【００４７】
収納箱３５０は、第２収納空間３５２を有していて、上部箱体３２０ａと下部箱体３２０ｂの結合の際、側面のうち開放された一面に形成されている溝を通じてＣ方向に引出が可能である。突然の引出から第２収納空間３５２内に収納された物品などを保護するためにスライディング方式によって引出される。このために収納箱３５０は下部箱体３２０ｂの底面に形成されたガードレール３５６とかみ合う移送ローラー３５４を有している（図４参照）。
【００４８】
収納箱３５０は、固定突起３３２がかかる固定溝（不図示）を有していて普段には外に引出されないように固定されている。しかし、固定突起３３２と一体化されているメインスイッチ３３０が下部箱体３２０ｂの内部方向に押されることになると、固定突起３３２が収納箱３５０の固定溝から脱することになって、これにより収納箱３５０は固定状態から脱して外に引出されることになる。上述した引出は重力によるかスプリングなどの弾性力を用いることもできる。
【００４９】
収納箱３５０が固定突起３３２により外に引出されなく固定された状態では正回転スイッチ３３１を押していることになる。押し動作に応じて正回転スイッチ３３１をターンオフさせることになり、正回転信号を生成しない。しかし、メインスイッチ３３０ が押されて収納箱３５０が外に引出されることになると、収納箱３５０によって押されていた正回転スイッチ３３１は押す力が消えて、ターンオンされることになる。 したがって、正回転信号を生成することになって、収納箱３５０の引出とともにヒンジ３１１aと３１１ｂ内部に位するモータ３００を正回転させることになる。
【００５０】
メインスイッチ３３０は、下部箱体３２０ｂに形成された固定ブロック３３４との間にスプリング３３３が繋がれていて、外部からの押す力が消えると、またもとに戻ることになる。これにより、メインスイッチ３３０と一体に形成されている固定突起３３２も元の位置に戻ることになり、追後収納箱３５０が引入される際収納箱３５０の固定溝に固定突起３３２がかみ合って収納箱３５０を固定させることになる。
【００５１】
正回転スイッチ３３１は、下部箱体３２０ｂの内部に位し、収納箱３５０によって押される場合ターンオフされる。そして、収納箱３５０が引出される場合、押す力がなくなって正回転スイッチ３３１はターンオンされる。正回転スイッチ３３１がターンオンされると、モータ３００を正回転させる正回転信号を生成してモータ３００との連結端子を通じて伝達する。正回転スイッチ３３１がターンオフされると正回転信号の生成を止めることになる。
【００５２】
逆回転スイッチ３４０は、蓋３１０が上部箱体３２０aを閉める場合蓋３１０と上部箱体３２０ａが接触する上部箱体３２０ａ上の部分に位する。逆回転スイッチ３４０の位置に相応する蓋３１０の表面に逆回転スイッチ３４０をターンオフさせる押し端３４１が位する。逆回転スイッチ３４０は、蓋３１０の開かれる動作に応じて上部箱体３２０ａと接触しなくなると、押し端３４１が逆回転スイッチ３４０と接触しなくなって逆回転スイッチ３４０をターンオンさせる。そして、モータ３００を逆回転させる逆回転信号を生成してモータ３００との連結端子を通じて伝達する。
【００５３】
ここで、押し端３４１は、機械的に上記逆回転スイッチ３４０を押すことで逆回転スイッチ３４０をターンオフさせることができる。または逆回転スイッチ３４０にホールセンサーが附着され、押し端３４１にマグネットが附着されることができるマグネットは所定の磁場を形成し、ホールセンサーは磁場を感知する。すなわち、マグネットとホールセンサーとの距離が一定の距離以下になって磁場の強さが大きくなるとホールセンサーの出力はハイ（high）になり、マグネットとホールセンサーとの距離が一定の距離以上になって磁場の強さが小くなるとホールセンサーの出力はロー（low）になる。これを用いてホールセンサーの出力がハイになると逆回転スイッチ３４０をターンオフさせるようにしてモータ３００の逆回転を停止させることができる。
【００５４】
本発明で、正回転スイッチ３３１がターンオンされて蓋３１０が開かれる間に逆回転スイッチ３４０もターンオンされるが、正回転信号だけが生成されて逆回転信号は生成されないようにすることが好ましい。
【００５５】
蓋３１０と上部箱体３２０ａまたは、上部箱体３２０ａと下部箱体３２０ｂの結合体はヒンジ３１１ａ及び３１１ｂによって蓋３１０がＡ方向に(図３ａに図示)回転可能に結合される。
【００５６】
ヒンジ３１１ａと３１１ｂの内部にはモータ３００が位置している。モータ３００は印加される駆動信号に応じて正回転、逆回転または停止が可能な直流モータである。 ギアーがともに含まれてモータ３００の回転を所定の減速比に減速して蓋３１０が３６０゜の範囲内でのみＢ方向に回転するようにすることができる。
【００５７】
以下では、正回転スイッチ２３０及び３３１、逆回転スイッチ２４０及び３４０に応じてモータ２００及び３００を駆動させるケース蓋回転制御回路に対して説明する。
【００５８】
図６は、本発明の好ましい実施例によるケース蓋回転制御回路の回路図であり、図７は、モータ内部のセンサー回路が蓋の完全に開かれることを感知する方法を示す図面である。
【００５９】
図６を参照すれば、モータ３００、モータ３００ 内部のセンサー回路（Sensor PCB ６１０）、開き信号生成部６２０、正回転スイッチ２３０及び３３１、逆回転スイッチ２４０及び３４０、駆動部６５０ａと６５０ｂ及びバッファー６６０を含む。
【００６０】
バッファー６６０は、正回転スイッチ２３０及び３３１のターンオンの可否及び逆回転スイッチ２４０及び３４０のターンオンの可否に応じて正回転信号または逆回転信号を生成する。
【００６１】
駆動部６５０ａと６５０ｂは、バッファー６６０に繋がれて、正回転信号または逆回転信号を入力受けて、それに応じてモータ３００を正回転または逆回転させる。
【００６２】
ケース蓋制御回路の動作原理は次のとおりである。
【００６３】
正回転スイッチ２３０及び３３１及び逆回転スイッチ２４０及び３４０の動作方式は表１に現われていて、バッファー６６０の動作方式は表２に現われているし、表３はモータ３００の内部にあるセンサー回路６１０での信号を現わす。
【表１】
2007130441.tif 000003
【００６４】
ここで、オープン（OPEN）はターンオン（turn on）を、短絡（SHORT）はターンオフ（turn off）を意味する。
【表２】
2007130441.tif 000004
【００６５】
ここで、Ｈはハイ（high）、Ｌはロー（Low）、Ｘは関係なし（Irrelevant）であり、バッファー６６０はコントロール（Control）信号がＬの場合入力（Input）に対する出力（Output）が出ることになる。
【表３】
2007130441.tif 000005
【００６６】
ここで、モータ３００は、バッファー６６０のＹ０とＹ１(正方向動作と言う)から出る入力信号(すなわち、正回転信号) または、Ｙ２とＹ３(逆方向動作と言う)から出る入力信号（すなわち、逆回転信号）に応じて動作することになる。正方向と逆方向は、バッファー６６０の信号操作に応じて同時に動作することはできないが、同時に動作しないことはできる。
【００６７】
以下では、図３に示されている二重収納構造のケースを主として動作原理に対して説明する。
【００６８】
まず、蓋３１０が閉まっている場合は、収納箱３５０が上部箱体３２０ａと下部箱体３２０ｂの間に引入されている状態を意味する。この際、構造的に収納箱３５０が正回転スイッチ３３１を押すようになって正回転スイッチ３３１はオープン（OPEN) 状態になる。正回転スイッチ３３１がオープン状態なのでバッファー６６０の ＣＯ端にはＨ信号が入力されてバッファー６６０が動作しなくなる。それによりバッファー６６０は正回転信号を生成しなく、モータ３００は正回転しなくなる。また、蓋３１０が閉まっていて押し端３４１が逆回転スイッチ３４０を押しているので、逆回転スイッチ３４０がオープン状態になり、これによって逆回転信号も生成しなく、モータ３００は逆回転もしなくなる。したがって、蓋３１０が閉まっている場合モータ３００は何らの動作もしない停止状態である。
【００６９】
蓋３１０が開く際には次のとおりである。
【００７０】
蓋３１０を開くためにはメインスイッチ３３０を押さなければならない。メインスイッチ３３０を押すと構造的に固定突起３３２によって固定されていた収納箱３５０がガードレール３５６に沿ってケースの外に引出される。収納箱３５０がケースの外に引出されることに伴って、押されていた正回転スイッチ３３１が開くようになって短絡（SＨORT) される。これにより、バッファー６６０のＣＯ端とＣ１端にＬ信号が入力され、第１駆動部６５０ａに正回転信号を印加してモータ３００が正回転することにする。すなわち、正回転スイッチ３３１が短絡されながらモータ３００が動作することになって蓋３１０が開くことになる。蓋３１０が開くことになると押されていた逆回転スイッチ３４０ももう押されていなくなって短絡状態になる。しかし、バッファー６６０のＣ２端とＣ３端にはＨ信号が入力されるので第２駆動部６５０ｂに逆回転信号が印加されなく、モータ３００は逆回転しなくなる。
【００７１】
蓋３１０が完全に開いた場合には次のとおりである。
【００７２】
図７を参照すれば、モータ３００内部には蓋開き状態感知部があり蓋の開き状態を感知することができる。蓋開き状態感知部は、所定位置がグラウンド（ground）に繋がれているセンサー回路（Sensor PCB、６１０）、開き電圧（本例では３Ｖ）を有する開き電圧源７２０ 及び導電性アーム（Conductive arm、７１０）を含む。センサー回路６１０は、所定位置に開き電圧が印加されるとＨ信号(開き信号)を出して、その外にはＬ信号を出す。導電性アーム７１０は、モータ３００の軸に装着されてモータ３００の回転に応じて所定方向に回転する導電性物質より形成されている。好ましくはモータ３００ 内部のブラシでありうる。使用者の所望の角度だけ蓋３１０が開いた場合、導電性アーム７１０がセンサー回路６１０の所定位置及び開き電圧源７２０を連結して、センサー回路６１０の所定位置に開き電圧を印加するようにする。センサー回路６１０がＨ信号を出す場合には、モータ３００の停止信号を意味し、モータ３００は正回転を止めて停止することになる。
【００７３】
蓋３１０が閉まる際は次のとおりである。
【００７４】
蓋３１０を閉めるためには収納箱３５０をケース内部に引入させる。収納箱３５０をケース内部の最後まで引入させると収納箱３５０は正回転スイッチ３３１を押すようになる。これにより正回転スイッチ３３１はオープン状態になる。この際逆回転スイッチ３４０は短絡状態なので、バッファー６６０のＣ２端とＣ３端にＬ信号が入力されながら逆回転信号が生成されて第２駆動部６５０ｂに印加される。第２駆動部６５０ｂは印加された逆回転信号に応じてモータ３００を逆回転させることになる。
【００７５】
蓋３１０が完全に閉まった場合は次のとおりである。
【００７６】
蓋３１０が完全に閉まると蓋３１０の押し端３４１が逆回転スイッチ３４０を押すことになり、これによって逆回転スイッチ３４０はオープン状態になる。正回転スイッチ３３１ 及び逆回転スイッチ３４０が全部オープン状態になってバッファー６６０のコントロール端Ｃ０、Ｃ１、Ｃ２、Ｃ３端にはＨ信号が印加され、バッファー６６０は動作しなくなる。これによりモータ３００への入力信号が遮られてモータ３００は逆回転を止めて動作しなくなる。
【００７７】
図７に示されているようにモータを正回転または逆回転させるために第１駆動部６５０ａ、第２ 駆動部６５０ｂを別にして正回転信号及び逆回転信号を印加することもできるが、Ｈ-ブリッジ(Ｈ-bridge) 回路を用いることもできる。
【００７８】
図８は、本発明の好ましい他の実施例による Ｈ−ブリッジ回路を用いたケース蓋回転制御回路である。
【００７９】
図８を参照すれば、モータに繋がれた各トランジスタＴＲ１、ＴＲ２、ＴＲ３、ＴＲ４は一種のスイッチの役目をする。 図８の下端の真理表を見ると、Ａ及びＤにＨ信号が印加され、以外にはＬ信号が印加されれば、ＴＲ１とＴＲ４が導通されてモータは正回転することになる。Ｂ及びＣにＨ信号が印加されて以外にはＬ信号が印加されれば、ＴＲ２とＴＲ３が導通されてモータは逆回転することになる。Ａ及びＢ、あるいはＣ及びＤにＨ信号が印加されれば、モータは停止することになる。ここで、各トランジスタは電界效果トランジスタ（FET）より構成されることもできる。
【００８０】
以上では図３に示されている二重収納構造のケースを主としてケース蓋回転制御回路の動作を説明したが、図２に示されているケースにも適用可能である。
【００８１】
図９乃至図１０は本発明の好ましい実施例によるケース蓋回転を制御する方法のフローチャートである。
【００８２】
図９を参照すれば、段階Ｓ９０５で、構造的に正回転スイッチ３３１が押されてオープン状態すなわち、ターンオン状態になる。段階Ｓ９１０で、バッファー６６０は正回転信号を生成して、第１駆動部６５０ａに伝達する。段階Ｓ９１５で、第１駆動部６５０ａは、入力された正回転信号に応じてモータ３００を正回転させる。段階Ｓ９２０で、モータ３００の正回転に応じてモータの回転軸に繋がれた蓋３１０は開く動作を遂行することになる。
【００８３】
段階Ｓ９２５で、蓋開き状態感知部による蓋３１０の所定角度までの開きが感知されたのかに対する開き信号が生成され、これによりバッファー６６０が停止信号を生成したのかの可否を判断する。停止信号が印加されなかった場合段階Ｓ９１５に戻って段階Ｓ９１５乃至Ｓ９２５を繰り返す。そして、停止信号が印加されると段階Ｓ９３０に進行して正回転のモータ３００を停止させる。
【００８４】
図１０を参照すれば、上述した段階のうち、Ｓ９２０で蓋３１０の開くことに応じて逆回転スイッチ３４０が開くことになり短絡状態になるので、これにより段階Ｓ１００５で逆回転スイッチ３４０はターンオンされる。段階Ｓ１０１０で、収納箱３５０を引入することによって正回転スイッチ３３１が押されるようになり、これに応じて正回転スイッチ３３１はターンオフされる。 段階Ｓ１０１５で、正回転スイッチ３３１はターンオフされ、逆回転スイッチ３４０はターンオンされた状態であるのでバッファー６６０は逆回転信号を生成することになる。
【００８５】
段階Ｓ１０２０で、第２駆動部６５０ｂはバッファー６６０から逆回転信号を印加受けてモータ３００を逆回転させるようになる。段階Ｓ１０２５で、蓋３１０はモータ３００の逆回転に応じて回転して閉まることになる。
【００８６】
段階Ｓ１０３０で、蓋３１０が完全に上部箱体３２０ａ上に閉まるようになると押し端３４１が逆回転スイッチ３４０を押すことになり逆回転スイッチ３４０がターンオフされる。したがって、逆回転スイッチ３４０のターンオフ状態の可否を確認して蓋３１０が完全に閉まったのかの可否を判断する。
【００８７】
判断結果、逆回転スイッチ３４０がターンオフ状態ではない場合に、蓋３１０が完全に閉まった状態ではないのでモータ３００は逆回転を続くようになる。しかし、判断結果、逆回転スイッチ３４０がターンオフ状態の場合には蓋３１０が完全に閉まった状態なのでモータ３００の逆回転を停止させる。
【００８８】
上記では本発明の好ましい実施例を参照して説明したが、該当の技術分野で通常の知識を持った者であれば下記の特許請求の範囲に記載した本発明の思想及び領域から脱しない範囲内で本発明を多様に修正及び変更させることが可能であるのは理解できるであろう。
【図面の簡単な説明】
【００８９】
【図１】従来技術による化粧用具の自動引出機能を有する化粧品ケースの分離斜視図である。
【図２】本発明の好ましい施例によるケースを示す図面である。
【図３】本発明の好ましい他の実施例によるケースの蓋が開かれた状態及び閉まった状態での斜視図である。
【図４】上部箱体を除いたケースの分解斜視図である。
【図５】図４の一部分の拡大図である。
【図６】本発明の好ましい実施例によるケース蓋回転制御回路の回路図である。
【図７】モータ内部のセンサー回路が蓋の完全に開かれたことを感知する方法を示す図面である。
【図８】本発明の好ましい他の実施例による Ｈ−ブリッジ回路を用いたケース蓋回転制御回路である。
【図９】本発明の好ましい実施例によるケース蓋の回転を制御する方法のフローチャートである。
【図１０】本発明の好ましい実施例によるケース蓋の回転を制御する方法のフローチャートである。
【符号の説明】
【００９０】
２００、３００  モータ
２１０、３１０  蓋
２２０  箱体
３２０ａ  上部箱体
３２０ｂ  下部箱体
２３０、３３１  正回転スイッチ
２４０、３４０  逆回転スイッチ
３５０  収納箱
【図２】
2007130441.tif 000006
【図３】
2007130441.tif 000007
【図４】
2007130441.tif 000008
【図５】
2007130441.tif 000009
【図７】
2007130441.tif 000010
【図８】
2007130441.tif 000011
【図９】
2007130441.tif 000012
【図１０】
2007130441.tif 000013
【図１】
2007130441.tif 000014
【図６】
2007130441.tif 000015